(57)【要約】【課題】  各竿体に釣竿を分解して収納し、釣竿を再セットするにあたって、その作業性に優れる竿体を提供する。【解決手段】  この元竿１には、釣竿を構成する竿体であって、管状体である本体部の周面に取り付けられた釣糸ガイド５と、本体部の穂先側にその一部が挿入された状態で連結されているインロー芯１ａを有している。このインロー芯１ａの穂先側端部には、釣糸Ｌを挟み込み得る割り溝１０が釣糸ガイド５と一致する周方向位置において軸長方向に形成されている。釣竿を各竿体に分離した後に、リールＲからの釣糸Ｌをこの割り溝１０に挟み込んで仮止めする。【選択図】      図２
2005137326.tif 000002
【特許請求の範囲】
【請求項１】
釣竿を構成する竿体であって、
管状体である本体部と、
本体部の周面に取り付けられた釣糸ガイドと、
前記本体部の穂先側端部及び／又は竿元側端部に形成される釣糸仮止部と、
を備えた竿体。
【請求項２】
前記本体部の穂先側にその一部が挿入された状態で連結されている印籠芯をさらに備え、前記印籠芯の穂先側端部には、釣糸を挟み込み得る割り溝が前記釣糸ガイドと一致する周方向位置において軸長方向に形成されており、前記割り溝が前記釣糸仮止部である、請求項１に記載の竿体。
【請求項３】
前記本体部の竿元側端縁には、釣糸を挟み込み得る割り溝が前記釣糸ガイドと一致する周方向位置及びこれに１８０度変位する位置に於いて軸長方向に形成されており、前記割り溝が前記釣糸仮止部である、請求項２に記載の竿体。
【請求項４】
前記本体部の穂先側端縁及び／又は竿元側端縁に外嵌された保護リングをさらに備え、前記保護リングの外周面には、釣糸を挟み得る割り溝が前記釣糸ガイドと一致する周方向位置及びこれに１８０度変位する位置に於いて軸長方向に形成されており、前記割り溝が前記釣糸仮止部である、請求項１に記載の竿体。
【発明の詳細な説明】
【技術分野】
【０００１】
本発明は、魚釣りに用いる釣竿を構成する竿体に関する。特に、複数の竿体を印籠継形式，並継形式等の手法で連結し、収納時には一本の釣竿を個々の竿体に分解するようなタイプの釣竿を構成する竿体に関する。
【背景技術】
【０００２】
近時の多くの釣竿は、複数の竿体を連結して一本の長い釣竿となっている。竿体同士の連結手法としては、種々の方式があるが、例えば、竿体の穂先側端部に印籠芯を固定しておき、他の竿体の竿元側端部に挿入し、両竿体を連結する手法がある（印籠継形式：特許文献１参照）。また、別の方式としては、竿体の竿元側端部を嵌合雄部とし、他の竿体の穂先側端部に嵌合雄部を挿入して嵌着し、両竿体を連結する（並継形式：特許文献２参照）。このようなタイプの竿体の連結手法を採用する釣竿では、釣りを終えた後に、個々の竿体に分解して収納することになる。
【０００３】
ところで、このような竿体の連結手法を採用し、且つ、リールを用いてリールからの釣糸を竿体の周面に取り付けた釣糸ガイドに挿通させるようなリール竿においては、釣糸ガイドに釣糸を通したまま、各竿体に分解して釣竿を収納することもある。特に、釣竿を構成する竿体の本数が多数になり釣糸ガイドの数が増加すると、一々釣糸を釣糸ガイドから外して釣竿を収納し、次の使用時に釣糸ガイドに釣糸を再度挿通させるのは煩雑である。このため、竿体の本数が多数である釣竿においては、釣糸ガイドに釣糸を通したまま各竿体に分解して釣竿を収納することも多い。
【０００４】
しかし、このように釣糸ガイドに釣糸を通したまま各竿体に分解し、各竿体をまとめて収納すると、以下のような問題が生じる。即ち、図７に示すように、釣糸Ｌはある竿体の最も穂先側の釣糸ガイドＸで折り返されて、他の竿体の最も竿元側の釣糸ガイドに至る。このため、釣糸ガイドＸに釣糸Ｌが絡みつき、若しくは、釣糸Ｌが不当に捻れてしまい、次回、釣りをおこなう際に、釣糸Ｌ乃至竿体を再セットするのが煩雑である。
【０００５】
また、リールから放出されている釣糸Ｌの長さに欠損が生じ、次回、釣りをおこなう際に、上手く、各竿体を連結できず、リールから釣糸Ｌを導出し直さなければならないという問題もある。即ち、最も穂先側の釣糸ガイドＸで釣糸Ｌが折り返されるので、リールに釣糸Ｌを巻き取りながら各竿体をまとめて収納すると、収納時に、釣糸ガイドＸより穂先側分（図７のＡ参照）の釣糸Ｌがリールに巻き取られてしまい、この長さの分だけ、釣糸Ｌのリールからの導出長さが短くなってしまうのである。従って、次回、釣りをおこなう際に、釣糸Ｌ乃至竿体を再セットするのが煩雑である。
【特許文献１】特開2000-279063号公報
【特許文献２】特開平05-000037号公報
【発明の開示】
【発明が解決しようとする課題】
【０００６】
本発明は、上記の問題点に鑑み、各竿体に釣竿を分解して収納し、釣竿を再セットするにあたって、その作業性に優れる竿体を提供するものである。
【課題を解決するための手段】
【０００７】
本発明の竿体は、釣竿を構成する竿体であって、管状体である本体部と、本体部の周面に取り付けられた釣糸ガイドと、本体部の穂先側端部及び／又は竿元側端部に形成される釣糸仮止部とを備えている。
【０００８】
この竿体は、穂先側及び／又は竿元側に他の竿体を連結して、一本の長い釣竿として用いられるものである。必要に応じて、穂先側端部及び／又は竿元側端部にそれぞれ嵌合雄部若しくは嵌合雌部が形成される。複数の竿体を連結して一本の長い釣竿となった後には、釣糸ガイドに釣糸を挿通させて、釣糸がリールから穂先側へ案内されることになる。
【０００９】
釣りを終えた後には、各釣糸ガイドに釣糸を挿通させたまま、釣竿は個々の竿体に分解して収納される。この際、穂先側端部端部及び／又は竿元側端部に形成されている釣糸仮止部に釣糸を仮止めした上で、各竿体がまとめて収納されることになる。このような仮止めにより、釣糸の不当な捻れの他、釣糸ガイドへの糸絡み等も生じない。また、釣糸が竿体の軸方向両端の釣糸仮止部にそれぞれ仮止めされているので、釣糸が竿体の軸方向長さより短い長さまでリールに巻き取られることもない。次回の釣りの際に、釣糸を釣糸仮止部から外して各竿体を再び連結することで、釣竿の再セットも容易になる。
【００１０】
例えば、本発明のある１つの竿体は、本体部の穂先側にその一部が挿入された状態で連結されている印籠芯をさらに備える。そして、印籠芯の穂先側端部には、釣糸を挟み込み得る割り溝が釣糸ガイドと一致する周方向位置において軸長方向に形成されており、割り溝が釣糸仮止部である。
【００１１】
釣竿を各竿体に分解した後においては、釣糸ガイドを挿通している釣糸をそのまま同一の周方向位置から形成されている印籠芯の割り溝に挟み込み、釣糸を割り溝に仮止めする。収納時において、釣糸の不当な捻れの他、釣糸ガイドへの糸絡み等も生じない。また、釣糸が竿体の軸方向長さより短い長さまでリールに巻き取られることもなく、使用時に割り溝から釣糸を取り外せば、直ちに、釣竿を再セットできる。
【００１２】
さらに、本体部の竿元側端縁には、釣糸を挟み込み得る割り溝が釣糸ガイドと一致する周方向位置及びこれに１８０度変位する位置に於いて軸長方向に形成されており、割り溝もまた釣糸仮止部としてもよい。この場合、竿体の竿元側端部においては、釣糸ガイドと一致する周方向位置から形成されている割り溝に釣糸を挟み込んで仮止めする。
【００１３】
また、例えば、本発明の別の１つの竿体は、本体部の穂先側端縁及び／又は竿元側端縁に外嵌された保護リングをさらに備える。この保護リングの外周面には、釣糸を挟み得る割り溝が釣糸ガイドと一致する周方向位置及びこれに１８０度変位する位置に於いて軸長方向に形成されており、割り溝が釣糸仮止部である。
【００１４】
竿体の軸長方向両端部にはその端縁保護のための保護リングが配置されることもある。釣竿を各竿体に分解した後においては、釣糸ガイドを挿通している釣糸をそのまま同一の周方向位置から形成されている保護リングの割り溝に挟み込み、釣糸を割り溝に仮止めする。なお、保護リングと共に竿体にも割り溝を形成しても良いが、保護リングの外周面のみに割り溝を軸長方向に形成してもよい。
【発明の効果】
【００１５】
本発明の竿体を利用すれば、釣糸を釣糸ガイドに挿通させたまま釣竿を各竿体に分解して収納しても、次回の釣りの際の、釣竿の再セットが容易である。
【発明を実施するための最良の形態】
【００１６】
［第１実施形態］
以下、本発明の第１実施形態について、図面を参照しつつ説明する。
【００１７】
本発明の第１実施形態を採用した釣竿は、図１に示すように、複数の竿体を印籠継ぎと呼ばれる形式で連結して一本の釣竿となっている。例えば、最も手元側に位置する元竿１と、元竿１の穂先側に連結される元上竿２と、さらに、その穂先側に連結される複数の他の竿体（図示せず）とから構成される。竿体の本数は任意に設定可能である。
【００１８】
各竿体は後述のように繊維強化樹脂（プリプレグ素材）から形成される先細り管状体である。例えば、元竿１にあっては、その穂先側端部に穂先側に一部が突出するように、中実の細棒体であるインロー芯１ａが接着され固定されている。このインロー芯１ａも繊維強化樹脂等から製造される。そして、このインロー芯１ａを元上竿２の竿元側に装入して、元竿１と元上竿２とが連結されている。他の竿体においても同様である。即ち、元上竿２の穂先側端部にも同種のインロー芯が接着されて連結されており、これが、元上竿２の穂先側に連結される中竿の竿元側に挿入されて、両竿体が連結されることになる。例えば、インロー芯１ａによって元竿１と元上竿２とを連結するにあたっては、竿体同士の端面は直接接触しないようにインロー芯１ａはその径が調整されている。即ち、元竿１の穂先側のインロー芯１ａを元上竿２の竿元側端部に挿入して連結した場合、元竿１の穂先側端面は、元上竿２の竿元側端面には直接接触しない。
【００１９】
また、元竿１の周面にはリールＲを脱着自在に装着するためのリールシート３や、元竿１を把持するためのグリップ等が必要に応じて取り付けられている。さらに、元竿１の穂先側の周面には釣糸ガイド５が装着されている。他方、元上竿２を含め、他の図示しない竿体においても、各竿体の周面には軸方向に間隔を隔てて複数の釣糸ガイド５が装着されている。これら複数の釣糸ガイド５は同一の竿体上においては周方向に於いて一致する位置に並んで配置されている。これらの釣糸ガイド５はリールシート３に装着したリールＲからの釣糸Ｌを案内する部材である。
【００２０】
次に、元上竿２を例として、竿体の穂先側端部に連結されているインロー芯２ａ及び竿体の竿元側端部を詳細に説明する。
【００２１】
図２に示すように、元上竿２の穂先側端部には上述のようなインロー芯２ａが接着剤によって固定されている。元上竿２は先細りテーパの施された管状体である本体部を有する。インロー芯２ａは中実の細棒部材である。インロー芯２ａの軸長方向長さの半分程度までにおいて、その竿元側部分は元上竿２の穂先側に挿入されて固定されている。インロー芯２ａの穂先側部分においては、その穂先側端部から細棒を２つに分断するような割り溝１０が軸長方向に延びて形成されている。割り溝１０の軸方向長さは任意であり、その幅も適宜設定して、釣糸Ｌを挟み込んで仮止め可能な程度に設定する。割り溝１０は、周方向において釣糸ガイド５と一致する方向に於いて形成される。また、割り溝１０は、図２に示すように、その竿元側端において穂先側に凸なＲ型形状とするのが好ましい。釣糸Ｌを割り溝１０に挟み込みつつ円滑に竿元側方向に折り返すことが可能となるようにするものである。
【００２２】
一方、元上竿２の管状体である本体部の竿元側端縁においては、釣糸Ｌを挟み込み得る割り溝１１が釣糸ガイド５と一致する周方向位置及びこれに１８０度変位する位置に於いて形成されている。割り溝１１の大きさは任意であるが、この元上竿２のように竿体の本体部に直接割り溝１１を形成する場合には、竿体の強度上あまり軸長方向長さの長い割り溝１１を形成するのは好ましくない。
【００２３】
なお、ここでは元上竿２を例にして説明しているが、図１に示すように、元竿１の穂先側に連結されるインロー芯１ａにも、上述の元上竿２のインロー芯２ａと同様の割り溝を形成する。その他、元上竿２の穂先側に連結される他の竿体においても同様である。
【００２４】
以上のように、各種の竿体は、それぞれ穂先側のインロー芯を他の竿体の竿元側に挿入して連結して、一本の長い釣竿として用いられるものである。複数の竿体を連結して一本の長い釣竿となった後には、元竿１のリールシート３に装着したリールＲからの釣糸Ｌを各竿体の周面の釣糸ガイド５に順次挿通させて、釣糸ＬをリールＲから穂先側へ案内することになる。この状態で、釣りをおこなう。
【００２５】
釣りを終えた後には、元竿１のリールシート３にリールＲを装着し各釣糸ガイド５に釣糸Ｌを挿通させたまま、釣竿は個々の竿体に分解して収納される。各竿体に分解し元竿１と元上竿２とを揃えた状態が図１に示した状態である。この際、例えば、元竿１においては、インロー芯１ａの割り溝１０に釣糸Ｌを挟み込んで仮止めし、釣糸Ｌを竿元側に折り返して、元上竿２の竿元側端部の割り溝１１に挟み込んで仮止めし、穂先側に再び折り返す。さらに、元上竿２の穂先側のインロー芯２ａの割り溝１０に釣糸Ｌを挟み込んで仮止めし、同種の作業を繰り返して、各竿体を揃えて収納する。このような仮止めにより、釣糸Ｌの不当な捻れの他、釣糸ガイド５への糸絡み等も防止できる。
【００２６】
［第２実施形態］
上記第１実施形態の変形例を図３に示す。この釣竿を構成する竿体も上記第１実施形態と基本的に同種のものである。即ち、元竿１の穂先側端部にはインロー芯１ａが、元上竿２の穂先側端部にはインロー芯２ａが、そして、他の竿体にも同種のインロー芯が取り付けられている。各インロー芯には、上記第１実施形態と同様の割り溝１０が形成される。一方で、各竿体の竿元側端部には割り溝が形成されていない。
【００２７】
このような釣竿においても、釣りを終えた後には、元竿１のリールシート３にリールＲを装着し各釣糸ガイド５に釣糸Ｌを挿通させたまま、釣竿は個々の竿体に分解して収納される。各竿体に分解し元竿１と元上竿２とを揃えた状態が図１に示した状態である。ここでは、元上竿２はインロー芯２ａ側を元竿１の竿元側方向に向けて、両竿体が揃えられている。元上竿２の穂先側に連結される中竿においては、逆に、インロー芯側を元竿１の穂先側方向に向けることになる。以下、その他の竿体も同様である。
【００２８】
この際、例えば、元竿１においては、インロー芯１ａの割り溝１０に釣糸Ｌを挟み込んで仮止めし、釣糸Ｌを竿元側に折り返す。そして、元上竿２に沿って釣糸Ｌを元竿１の竿元側方向に向け、元上竿２の穂先側のインロー芯２ａの割り溝１０に釣糸Ｌを挟み込んで仮止めし、再度逆に元竿１の穂先側方向に釣糸Ｌを向ける。そして、同種の作業を繰り返して、各竿体を揃えて収納する。このような仮止めにより、釣糸Ｌの不当な捻れの他、釣糸ガイド５への糸絡み等も防止できる。
【００２９】
また、釣糸Ｌが各竿体のインロー芯にそれぞれ仮止めされているので、釣糸Ｌが竿体の軸方向長さより短い長さまでリールＲに巻き取られることもない。従って、次回の釣りの際に、釣糸Ｌを各竿体の割り溝１０から外して各竿体を再び連結することで、釣竿の再セットも容易に為し得ることになる。
【００３０】
［第３実施形態］
さらに、別の変形例である第３実施形態について、図面を参照しつつ説明する。
【００３１】
本発明の第３実施形態を採用した釣竿は、いわゆる並継形式により複数の竿体を連結して一本の釣竿としたものである。上記第１実施形態と同様に、最も手元側に位置する元竿１と、元竿１の穂先側に連結される元上竿２と、さらに、その穂先側に連結される複数の他の竿体（図示せず）とから構成される。竿体の本数は任意に設定可能である。これらの竿体は、上述のように並継形式で連結されるので、図４に示すように、穂先側に位置する竿体（例えば、元上竿２）の竿元側には他の部分より太径化した嵌合雄部が形成される。竿元側に位置する竿体（例えば、元竿１）の穂先側内周面は嵌合雄部が挿入され嵌着する嵌合雌部となっている。
【００３２】
図４に示すように、元竿１の穂先側端部には保護リング３０が外嵌されている。保護リング３０はアルミニウム・ステンレスなどの合金若しくは、硬質のプラスチックから構成される。保護リング３０は元竿１の穂先側端部の外周面に必要に応じて接着剤等で固定される。この保護リング３０には、図５に示すように、周方向に１８０度変位する２カ所の位置において軸方向に延びる割り溝３１が形成されている。この割り溝３１は、何れか１カ所については周方向において釣糸ガイド５と一致する位置に設定されている。なお、割り溝３１はその間に釣糸Ｌを挟み込んで仮止めできる程度のものである。
【００３３】
なお、ここでは元竿１を例として説明しているが、上記の各実施形態と同様に、元上竿２及びその他の竿体の穂先側端部においても、同種の保護リング３０が各竿体の穂先側端部に外嵌される。
【００３４】
以上のように、各種の竿体は、それぞれ対応する嵌合雄部と嵌合雌部とを嵌着して連結されて一本の長い釣竿として用いられるものである。複数の竿体を連結して一本の長い釣竿となった後には、上記第１実施形態と同様に、元竿１のリールシート３に装着したリールＲからの釣糸Ｌを各竿体の周面の釣糸ガイド５に順次挿通させて、釣糸ＬをリールＲから穂先側へ案内することになる。この状態で、釣りをおこなう。
【００３５】
釣りを終えた後には、元竿１のリールシート３にリールＲを装着し各釣糸ガイド５に釣糸Ｌを挿通させたまま、釣竿は個々の竿体に分解して収納される。第２実施形態と同様に、各竿体は順次穂先側と竿元側とを交互にして揃えられる。リールＲからの釣糸Ｌを各釣糸ガイド５に挿通させつつ、保護リング３０の割り溝３１に挟み込んで仮止めする。そして、竿元側に釣糸Ｌを折り返し、元上竿２の穂先側の保護リング３０の割り溝３１に釣糸Ｌを挟み込んで仮止めし、再度逆に元竿１の穂先側方向に釣糸Ｌを向ける。そして、同種の作業を繰り返して、各竿体を揃えて収納する。このような仮止めにより、釣糸Ｌの不当な捻れの他、釣糸ガイド５への糸絡み等も防止できる。
【００３６】
［他の実施形態］
（ａ）上記各実施形態では、インロー芯，保護リング及び竿体の軸長方向端部に直接割り溝を形成する例を示している。これらは、竿体の連結手法などにより適宜選択し、組み合わせて利用することができる。
（ｂ）さらに、図６に示すように、保護リングに代えて竿体の穂先側に脱着自在に装着可能なキャップ４０に釣糸仮止部として割り溝もしくは釣糸を巻き付けて仮止め可能な突起を形成してもよい。釣竿を各竿体に分解したうえで、各竿体の穂先側に保護用のキャップを取り付け、割り溝や突起等に仮止めして、このキャップ４０は上記各実施形態と同様に用いられる。
【図面の簡単な説明】
【００３７】
【図１】本発明の第１実施形態を採用した釣竿の元竿１と元上竿２とを示した図。
【図２】図１の元上竿２を示した図。
【図３】本発明の第２実施形態を採用した釣竿の元竿１と元上竿２とを示した図。
【図４】本発明の第３実施形態を採用した釣竿の元竿１を示した図。
【図５】図４の元竿１の穂先側端部の保護リング３０を示した図。
【図６】本発明の他の実施形態を示した図。
【図７】従来の釣竿を示した図。
【符号の説明】
【００３８】
１  元竿
１ａ  インロー芯
２  元上竿
２ａ  インロー芯
５  釣糸ガイド
１０，１１，３１  割り溝
３０  保護リング
Ｒ  リール
Ｌ  釣竿
【図１】
2005137326.tif 000003
【図２】
2005137326.tif 000004
【図３】
2005137326.tif 000005
【図４】
2005137326.tif 000006
【図５】
2005137326.tif 000007
【図６】
2005137326.tif 000008
【図７】
2005137326.tif 000009